(57)【要約】      （修正有）【課題】電気コンロ、ガスコンロ、カセットガスコンロを選択して使用できるスリー・イン・ワンコンロを提供する。【解決手段】スリー・イン・ワンコンロは、電気と都市ガス両用及びカセットガス５０の使用を選択可能なコンロであり、  上蓋１１と底台１２を備えるコンロ体１上に、１個或いは１個以上の電熱体２２を有する電気コンロ２と、上方に五徳を有するガスコンロ３及びセットガスコンロ８をそれぞれ設置する。電力或いは都市ガスの内のいずれかが中断しても、その内の一つのエネルギーを使用可能で、煮炊きができなくなる恐れがなく、且つガス料金、電気料金の変動に応じて、使用者はより低廉なものを自由に選択でき、費用を節約でき、都市ガスと電力が共に中断されれば、カセットガスの採用を選択できる。【選択図】図１
0003199514.tif 000002
【実用新案登録請求の範囲】
【請求項１】
スリー・イン・ワンコンロは、コンロ体上に、１個或いは１個以上の電気コンロ、１個或いは１個以上のガスコンロ及び１個或いは１個以上のカセットガスコンロをそれぞれ有し、選択が可能であり、
該コンロ体は、上蓋と底台とを備え、該上蓋には、数個の定位孔と１個或いは１個以上の都市ガスコンロ孔及び１個或いは１個以上のカセットガスコンロ孔をそれぞれ有し、
該定位孔には、隔絶材質のスペーサリングを有し、該スペーサリングの上方には、電熱体を有し、
該電熱体の下方には、電気接点を連接し、該電気接点の反対側は、通電回路装置と連接し、該通電回路装置は、電源コードにより、電源に連接し、且つ該通電回路装置には、電源スイッチを有し、
該都市ガスコンロ孔と該カセットガスコンロ孔の上方には、五徳をそれぞれ有し、
該都市ガスコンロ孔の下方は、底台内に設置するガスコンロのコンロヘッドの上方に位置し、
該ガスコンロの前側は、都市ガスホースと連接し、ガスコントロールスイッチを有し、該カセットガスコンロ孔の下方は、該底台内に設置するカセットガスコンロのコンロヘッド上方に位置することを特徴とするスリー・イン・ワンコンロ。
【請求項２】
前記コンロ体には、カセットガスを収容設置する収容槽を有し、
該収容槽内には、スライド台を有し、且つ該スライド台後端は、湾曲状のプッシュ板を有し、該ガスコンロ体前端の連動棒に連動し、該プッシュ板は、該カセットガスを前方へと押して移動し、
該収容槽の前端には、コントロールバルブを有し、該コントロールバルブは、連接管を通して該カセットガスコンロの前側と連接し、該コントロールバルブには、カセットガスの前端を挿入する接続口を有し、
該接続口の頂部には、定位弾片を有し、該定位弾片の内の一つの端には、固定孔及び収容設置孔を有し、且つ該接続口の頂部には、突出した固定凸柱及び定位凸柱を有し、両者は、該定位弾片の固定孔及び収容設置孔に通して設置し、該固定凸柱はリベット結合されて該定位弾片を固定し、
該コントロールバルブは、該コンロ体前側に別に設置するガスコンロコントロールスイッチと連接し、該カセットガスガスの起動をコントロールすることを特徴とする請求項１に記載のスリー・イン・ワンコンロ。
【請求項３】
前記カセットガスコンロは、該底台内に対応して設置する第二サポートフレーム上方に設置されることを特徴とする請求項２に記載のスリー・イン・ワンコンロ。
【請求項４】
前記ガスコンロは、該底台内に対応して設置する第一サポートフレーム上方に設置されることを特徴とする請求項１に記載のスリー・イン・ワンコンロ。
【請求項５】
前記電熱体の上方には、導熱盤をさらに設置することを特徴とする請求項１に記載のスリー・イン・ワンコンロ。 
【考案の詳細な説明】
【技術分野】
【０００１】
本考案はスリ−・イン・ワンコンロに関し、特に電気と都市ガス両用及びカセットガス使用を選択可能なコンロで、同一のコンロ体上にガスコンロと電気コンロをそれぞれ設置し、カセットガスの挿入を選択することもでき、使用者はより低廉なエネルギー或いは異なるニーズに応じて、使用を選択可能なスリ−・イン・ワンコンロに関する。
【背景技術】
【０００２】
市販のガスコンロ或いは電気コンロは、それぞれ独立したコンロである。
ガスコンロは、ガスをエネルギーとし、電気コンロは、電力をエネルギーとする。
【０００３】
しかし、ガスが中断され、或いは停電時には、煮炊きができなくなり、使用者の困難を招く恐れがある。
また、ガスと電力の価格はしばしば変動する。
もし、より低廉な者を選択して使用できれば出費を抑えることができる。
本考案は、従来のスリ−・イン・ワンコンロの上記した欠点に鑑みてなされたものである。
【考案の概要】
【考案が解決しようとする課題】
【０００４】
本考案が解決しようとする第一の課題は、コンロ体には電気コンロとガスコンロをそれぞれ設置し、電力或いは都市ガスの両者の内の一つが中断しても、その内の一つのエネルギーを使用可能で、煮炊きができなくなる恐れがないスリ−・イン・ワンコンロを提供することである。
【０００５】
本考案が解決しようとする第二の課題は、都市ガス料金と電気料金の変動に従い、使用者はより低廉なものを自由に選択でき、費用を節約できるスリ−・イン・ワンコンロを提供することである。
【０００６】
本考案が解決しようとする第三の課題は、電気コンロとガスコンロを同一のコンロ体に設置することで、製造コストを節減でき、製品の販売価格を相対的に引き下げられ、使用者にとっては体積を節減することで空間の有効活用に利するスリ−・イン・ワンコンロを提供することである。
【０００７】
本考案が解決しようとする第四の課題は、都市ガスと電力が共に中断しても、カセットガスを採用することで、煮炊きができなくなる恐れがないスリ−・イン・ワンコンロを提供することである。
【課題を解決するための手段】
【０００８】
上記課題を解決するため、本考案はガスコンロ或いは電気コンロ或いはカセットガスの使用を選択可能なスリ−・イン・ワンコンロを提供する。
【考案の効果】
【０００９】
本考案のスリ−・イン・ワンコンロは、電気と都市ガス両用及びカセットガス使用を選択可能なコンロで、同一のコンロ体上にガスコンロと電気コンロをそれぞれ設置し、カセットガスの挿入を選択することもでき、使用者はより低廉なエネルギー或いは異なるニーズに応じて、使用を選択可能である。
【図面の簡単な説明】
【００１０】
【図１】本考案実施形態の部分構成部材の分解状態図である。
【図２】本考案実施形態の組合せ断面模式図である。
【図３】本考案実施形態の別の角度の部分組合せ断面拡大模式図（カセットガスがコントロールバルブ接続口に挿入されていない様子を示す）である。
【図４】本考案実施形態の別の角度の部分組合せ断面拡大模式図（カセットガスがコントロールバルブ接続口に既に挿入された様子を示す）である。
【図５】本考案実施形態の別の角度の部分平面拡大模式図である。
【考案を実施するための形態】
【００１１】
以下に図面を参照しながら本考案を実施するための最良の形態について詳細に説明する。
【００１２】
図１〜図５に示すように、本考案によるスリ−・イン・ワンコンロは、コンロ体１上に、１個或いは１個以上の電気コンロ２、１個或いは１個以上のガスコンロ３及び１個或いは１個以上のカセットガスコンロ８をそれぞれ設置することで、選択して使用できる。
【００１３】
該コンロ体１は、上蓋１１と底台１２とを備える。
【００１４】
該上蓋１１には、数個の定位孔１３、１４と１個或いは１個以上の都市ガスコンロ孔１５及び１個或いは１個以上のカセットガスコンロ孔１６をそれぞれ設置する。
【００１５】
該定位孔１３、１４には、隔絶材質のスペーサリング２１を設置でき、該スペーサリング２１の上方には、電熱体２２を設置する。
【００１６】
該電熱体２２の下方には、電性接点２３を連接（図２参照）し、該電性接点２３の反対側２３１は、従来の通電回路装置２４と連接する。
【００１７】
該通電回路装置２４は、電源コード２４１により、電源に連接し、且つ該通電回路装置２４には、電源スイッチ２４２を設置し、電源をコントロールする。
【００１８】
該都市ガスコンロ孔１５と該カセットガスコンロ孔１６の上方には、五徳３０、８０をそれぞれ設置する。
【００１９】
該都市ガスコンロ孔１５の下方は、底台１２内に設置するガスコンロ３のコンロヘッド３１の上方に対応して位置する。
【００２０】
該ガスコンロ３の前側は、都市ガスホース３２と連接し、ガスコントロールスイッチ３３を別に設置し、その起動をコントロールする。
【００２１】
該カセットガスコンロ孔１６の下方は、該底台１２内に設置するカセットガスコンロ８のコンロヘッド８１上方に対応して位置する。
【００２２】
且つ該コンロ体１の適当な位置には、カセットガス５０を収容設置する収容槽１０を設置する。
【００２３】
該収容槽１０内には、スライド台１９を設置し、且つ該スライド台１９後端は、湾曲してプッシュ板１８を形成し、該ガスコンロ体１前端の連動棒４０により連動され、これにより該プッシュ板１８は、該カセットガス５０を前方へと押して移動させる。
【００２４】
該収容槽１０の前端には、コントロールバルブ４１を固定して設置する。
【００２５】
該コントロールバルブ４１連接管４１５を通して（図５参照）該カセットガスコンロ８の前側と連接する。
【００２６】
該コントロールバルブ４１には、接続口４１１を設置し、カセットガス５０の前端を挿入する。
【００２７】
該接続口４１１の頂部には、定位弾片６を固定して設置する。
【００２８】
該定位弾片６の内の一つの端には、固定孔６２及び収容設置孔６１を設置し、且つ該接続口４１１の頂部には、突出した固定凸柱４１３及び定位凸柱４１２を設置する。
【００２９】
これにより、両者は、定位弾片６の固定孔６２及び収容設置孔６１に通して設置される。
【００３０】
また、これにより該固定凸柱４１３はリベット結合され、該定位弾片６を完全に固定する。
【００３１】
さらに、該定位弾片６の収容設置孔６１内に通して設置される定位凸柱４１２により、該定位弾片６は、左、右への偏りを回避することができる。
【００３２】
且つ該定位凸柱４１２頂部には、拡大部位である係止縁４１２１を形成し（図３、図４参照）、これにより該定位弾片６が過大に変形し、該定位凸柱４１２から外れることを回避することができる。
【００３３】
またこれにより、該定位弾片６を、該カセットガス５０の係合部５１の凹槽５１１内に収容して設置し、該カセットガス５０の移動を防止する。
【００３４】
該コントロールバルブ４１は、該コンロ体１前側に別に設置するガスコンロコントロールスイッチ４１４と連接し、カセットガス５０ガスの起動をコントロールする。
【００３５】
図４に示すように、使用時には、該連動棒４０を下方へと押し、該スライド台１９を連動させる。
【００３６】
これにより、該カセットガス５０を前方へと移動させ、その前端を、コントロールバルブ４１の接続口４１１内に挿入する。
【００３７】
こうして、該カセットガス５０内のガスは、コントロールバルブ４１内へとスムーズに送り込まれる。
【００３８】
これと同時に、該定位弾片６はカセットガス５０に接触し、上方へと跳ね上がり変形する。
【００３９】
該定位凸柱４１２の係止縁４１２１により、該定位弾片６の頂面に係止し、こうして強靭な下圧の弾力を生じ、カセットガス５０を押さえつける。
【００４０】
こうして、最良の下圧定位効果を形成し、カセットガス５０の上方への移動を回避でき、ガス漏れを効果的に防止することができる。
【００４１】
さらに、該ガスコンロ３と該カセットガスコンロ８は、底台１２内に対応して設置する第一サポートフレーム１２１上方、第二サポートフレーム１２２上方にそれぞれ設置する。
【００４２】
該電熱体２２は、盤状或いは片状体或いは他の適当な形状を呈し、且つ電熱体２２の上方には、導熱盤２０をさらに設置し、該導熱盤２０は、盤状或いは他の形状を呈する。
【００４３】
該コンロ体１には、インジケーター１７をさらに設置し、各電気コンロ２が使用状態となると、インジケーター１７は点灯する（従来の技術であるため、詳述しない）。
【００４４】
上記を総合すると、本考案は以下の効果を備える。
１． コンロ体１には、電気コンロ２とガスコンロ３をそれぞれ設置し、電力或いは都市ガスの内のいずれかが中断しても、その内の一つのエネルギーを使用可能で、煮炊きができなくなる恐れがない。
２． 都市ガスと電気料金の変動に応じて、使用者はより低廉なものを自由に選択でき、費用を節約できる。
３． 電気コンロ２とガスコンロ３を同一のコンロ体１に設置することで、製造コストを節減でき、製品の販売価格を相対的に引き下げられ、且つ使用者にとってはガスコンロと電気コンロを別々に購入する必要がないため、購入コストを節減できるばかりか、空間を節減できるため、台所をフレキシブルに運用できるという長所を備える。
４． 都市ガスと電力が共に中断しても、カセットガス５０を採用することで、煮炊きができなくなる恐れがない。
５． 由於コントロールバルブ４１の接続口４１１頂部には、自身の変形により強靭な弾力を形成する定位弾片６を設置することで、カセットガス５０を効果的に押さえつけ、係合部５１の凹槽５１１内に係合して固定する。こうして、カセットガス５０は、最良の下圧定位効果を備え、カセットガス５０の上方へのずれ、或いは偏りを回避することができる。これにより、カセットガス５０とコントロールバルブ４１接続口位置におけるガス漏れの危険性を未然に防止でき、安全性を高めることができる。
【００４５】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００４６】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００４７】
１      コンロ体
１０    収容槽
１１    上蓋
１２    底台
１２１  第一サポートフレーム
１２２  第二サポートフレーム
１３、１４  定位孔
１５    都市ガスコンロ孔
１６    カセットガスコンロ孔
１７    インジケーター
１８    プッシュ板
１９    スライド台
２      電気コンロ
２０    導熱盤
２１    スペーサリング
２２    電熱体
２３    電性接点
２３１  反対側
２４    通電回路装置
２４１  電源コード
２４２  電源スイッチ
３      ガスコンロ
３０、８０  五徳
３１、８１  コンロヘッド
３２    ガスホース
３３、４１４  ガスコンロコントロールスイッチ
４０    連動棒
４１    コントロールバルブ
４１１  接続口
４１２  定位凸柱
４１２１  係止縁
４１３  固定凸柱
４１５  連接管
５０    カセットガス
５１    係合部
５１１  凹槽
６      定位弾片
６１    収容設置孔
６２    固定孔
８      カセットガスコンロ
【図１】
0003199514.tif 000003
【図２】
0003199514.tif 000004
【図３】
0003199514.tif 000005
【図４】
0003199514.tif 000006
【図５】
0003199514.tif 000007